(57)【要約】      （修正有）【課題】鉄筋コンクリート製の柱面に沿って埋込まれる埋込金物において、簡単な構造で鉄筋との干渉を防止することができる抜止部材を備え、また、埋込金物を型枠に装着して設置する際のガイド機能を備えた埋込金物を提供する。【解決手段】埋込金物３は、鉄筋コンクリート製の柱面に沿って埋込まれ、抜けるのを防止する抜止部材５と、型枠に固着されて配設される際、鉄筋と干渉するのを防止するガイド部材１３とを備える。抜止部材は、棒状部にヘッド部７が結合された略T字形状をしており、棒状部の周面には埋込金物側の雌ネジ部と螺合する雄ネジ部が形成され、さらに、その端部にはドライバー係合溝９が形成されている。【選択図】図３
0003144572.tif 000002
【実用新案登録請求の範囲】
【請求項１】
鉄筋コンクリート製の柱面に沿って埋込まれる埋込金物において、該埋込金物は、柱内に埋込まれて埋込金物が柱から抜けるのを防止する抜止部材と、埋込金物が型枠に固着されて配設される際、鉄筋と干渉するのを防止するガイド部材とを備えており、抜止部材は、棒状部にヘッド部が結合された略T字形状をしており、棒状部の周面には埋込金物側の雌ネジ部と螺合する雄ネジ部が形成され、さらに、その端部にはドライバー係合溝が形成されていることを特徴とする埋込金物。
【請求項２】
抜止部材は、埋込金物の内面の上下左右に配設されていることを特徴とする請求項１記載の埋込金物。 
【請求項３】
ガイド部材は、埋込金物の内面の両側に配設され、埋込金物の上下方向に沿って内側に突出する略円弧状の棒状部材からなることを特徴とする請求項１または２記載の埋込金物。
【請求項４】
抜止部材のヘッド部は円板状をしていることを特徴とする請求項１ないし請求項３のいずれか１項に記載の埋込金物。
【考案の詳細な説明】
【技術分野】
【０００１】
本考案は、鉄筋コンクリート製の柱面に沿って埋込まれる埋込金物に関し、特に、設置し易く、かつ、抜け止め機能を備えた埋込金物に関する。
【背景技術】
【０００２】
従来、この種の埋込金物は、埋め込む側の面に抜止部材が連結されている。この抜止部材は、棒状の部材が埋込金物の両端部近傍の２ヵ所、又は埋込金物の４隅に連結され、埋込金物と一緒にコンクリートスラブ等に埋め込むことにより、埋込金物がコンクリートスラブ等から抜けるのを防止している。
【考案の開示】
【考案が解決しようとする課題】
【０００３】
ところで、コンクリートスラブ等は内部に鉄筋が配筋されているため、この内部の鉄筋と抜止部材が干渉する場合は、鉄筋又は抜止部材のいずれか一方を切断して両者を溶接して使用するか、又は鉄筋と干渉しない位置に埋込金物をずらして使用している。
【０００４】
しかしながら、鉄筋又は抜止部材のいずれか一方を切断して両者を溶接して使用する方法は、大変な手間と人手を必要とするとともに、埋込金物の強度も低下するという欠点がある。また、埋込金物をずらして使用する方法は、配管のサポート等を埋込金物に取り付けて利用する構造物のように、位置決めされているものについては利用できないという欠点がある。
【０００５】
本考案はこのような事情を鑑みてなされたもので、鉄筋コンクリート製の柱面に沿って埋込まれる埋込金物において、簡単な構造で鉄筋との干渉を防止することができる抜止部材を備え、また、埋込金物を型枠に装着して設置する際のガイド機能を備えた埋込金物を提供することを目的とする。
【課題を解決するための手段】
【０００６】
上記目的を達成するために、本考案の埋込金物は、第１に、鉄筋コンクリート製の柱面に沿って埋込まれる埋込金物において、該埋込金物は、柱内に埋込まれて埋込金物が柱から抜けるのを防止する抜止部材と、埋込金物が型枠に固着されて配設される際、鉄筋と干渉するのを防止するガイド部材とを備えており、抜止部材は、棒状部にヘッド部が結合された略T字形状をしており、棒状部の周面には埋込金物側の雌ネジ部と螺合する雄ネジ部が形成され、さらに、その端部にはドライバー係合溝が形成されていることを特徴としている。
【０００７】
同様に上記目的を達成するために、本考案の埋込金物は、第２に、上記第１の特徴において、抜止部材は、埋込金物の内面の上下左右に配設されていることを特徴としている。
【０００８】
同様に上記目的を達成するために、本考案の埋込金物は、第３に、上記第１または第２の特徴において、ガイド部材は、埋込金物の内面の両側に配設され、埋込金物の上下方向に沿って内側に突出する略円弧状の棒状部材からなることを特徴としている。
【０００９】
同様に上記目的を達成するために、本考案の埋込金物は、第４に、上記第１ないし第３の特徴のいずれかにおいて、抜止部材のヘッド部は円板状をしていることを特徴としている。
【考案の効果】
【００１０】
本考案は、以下のような優れた効果を奏する。
（１）埋込金物の抜止部材が、棒状部にヘッド部が結合された略T字形状をしており、棒状部の周面には埋込金物側の雌ネジ部と螺合する雄ネジ部が形成され、さらに、その端部にはドライバー係合溝が形成されていることにより、埋込金物が型枠の内側に固着されて配設される際は、抜止部材の埋込み量を最小限にしておき、配設後、抜止部材を型枠の外側からドライバーで回転させて所定の位置まで押し出すようにするため、埋込金物の配設時における抜止部材と鉄筋との干渉を防止することができる。さらに、埋込金物が型枠に固着されて配設される際、鉄筋と干渉するのを防止するガイド部材を備えているため、一層、埋込金物の配設をスムースに行うことができる。
（２）ガイド部材が、埋込金物の内面の両側に配設され、埋込金物の上下方向に沿って内側に突出する略円弧状の棒状部材から形成することにより、簡単な構造で優れたガイド機能を奏することができる。
（３）抜止部材のヘッド部を円板状とすることにより、抜止部材の回転をスムースに行うことができるとともに、抜止め機能を確実に奏することができる。
【考案を実施するための最良の形態】
【００１１】
本考案の埋込金物を実施するための最良の形態を図面を参照しながら詳細に説明するが、本考案はこれに限定されて解釈されるものではなく、本考案の範囲を逸脱しない限りにおいて、当業者の知識に基づいて、種々の変更、修正、改良を加えうるものである。
【００１２】
本考案の実施例１を図１ないし図４を参照して説明する。
図１は、鉄筋コンクリート製の柱に埋込金物が装着された状態を示す正面図、図２は、埋込金物の正面図、図３は、図２のA-A矢視図、図４は、ガイド部材を示す側面図である。
【００１３】
図１において、鉄筋コンクリート製の柱１は、鉄筋２が配筋された状態でコンクリートが打設されて形成されるものであり、その際、必要に応じてそ柱面には埋込金物３が埋め込まれる。埋込金物３は、例えば、金属製のプレートを矩形状に形成したものであり、該埋込金物３には、例えばシャッター等が装着される。
【００１４】
図２および図３に示すように、埋込金物３は、矩形状の金属製のプレート４からなり、その内面（柱の中心側に位置する側を内面という。）には、ほぼ垂直に抜止部材５が溶接等の手段で固着されている。本例では、抜止部材５は埋込金物３の上下左右に位置するように４箇所設けられているが、その数および位置については適宜設計的に決められる。
【００１５】
抜止部材５は、図２に示すように、棒状部６に円板状のヘッド部７が結合された略T字形状をしており、棒状部６の周面には埋込金物３に固着されたナット８の雌ネジ部と螺合する雄ネジ部が形成され、さらに、その端部にはドライバー係合溝９が形成されている。
【００１６】
埋込金物３の内面の両側には、埋込金物３の上下方向に沿って内側に突出する略円弧状の棒状部材からなるガイド部材１３、１３が固定されている。ガイド部材１３は、埋込金物３が型枠１０の内面に固定された状態で配設される際、抜止部材５が鉄筋と干渉するのを防止して配設作業を円滑にする役割を担うものである。そのため、ガイド部材１３には、表面が滑らかな鉄棒等を用いることが望ましく、その形状は、図４に示すように、内側に略円弧状に突出している。
【００１７】
図３に示すように、鉄筋２の周囲の所定位置に型枠１０を配設した状態でコンクリートが打設されるが、その際、型枠１０の内面には埋込金物３が固定ボルト１１により固定される。固定ボルト１１は埋込金物３の内面に溶接されたナットに螺合して固定機能を果たすようになっている。
型枠１０が柱１を構築する位置に配設されるときには、抜止部材５は実線で示すように、鉄筋２（通常、配設される鉄筋は縦筋と横筋からなる。）に干渉しないよう、そのヘッド部７が鉄筋２の外側（型枠１０側）に位置するようにセットされている。また、埋込金物３の内面の両側の設けられたガイド部材１３、１３が、抜止部材５と鉄筋２との干渉を防止しながら埋込金物３をガイドする。このため、抜止部材５が鉄筋２と干渉して型枠１０および埋込金物３の設置に障害がでることを防止できる。
【００１８】
型枠１０の配設が終了した後、型枠１０の外側からドライバー１２をドライバー係合溝９に係合させ、抜止部材５のヘッド部７が鉄筋２の内側に位置するまで押し出す。抜止部材５は、押し出された状態において、そのヘッド部７が鉄筋２の内側に位置し、また、その棒状部６の端面は、埋込金物３の表面と面一となる。抜止部材５が回転されて押し出される際、ヘッド部７が円板状をしているため円滑に回転する。
なお、ドライバー１２に予め抜止部材５の押込み位置をマークしておくと便利である。
【００１９】
コンクリートが打設された後、固定ボルト１１をそのナット部分を残して埋込金物３から取り外し、型枠１０が撤去されると、コンクリート製の柱１の面には埋込金物３が面一に埋込まれた状態となる。埋込金物３は、抜止部材５のヘッド部７が鉄筋２の内側に位置してコンクリート内に埋設されるため、コンクリート製の柱１に堅固に固定され、埋込金物３にシャッター等の重力が作用しても抜け出すことはない。さらに、埋込金物３に固定されたガイド部材１３、１３もコンクリート内に埋設されることから、埋込金物３はより強固に柱１に固定される。
【図面の簡単な説明】
【００２０】
【図１】鉄筋コンクリート製の柱に埋込金物が装着された状態を示す正面図である。
【図２】埋込金物の正面図である。
【図３】図２のA-A矢視図である。
【図４】ガイド部材を示す側面図である。
【符号の説明】
【００２１】
１    鉄筋コンクリート製の柱     
２    鉄筋     
３    埋込金物      
４    プレート       
５    抜止部材      
６    棒状部      
７    ヘッド部      
８    ナット      
９    ドライバー係合溝
１０  型枠
１１  固定ボルト     
１２  ドライバー      
１３  ガイド部材     
【図１】
0003144572.tif 000003
【図２】
0003144572.tif 000004
【図３】
0003144572.tif 000005
【図４】
0003144572.tif 000006